(57)【要約】【課題】主制御基板によって制御されるランプ部を備えた第１プリント基板と、ランプ制御基板によって制御されるランプ部を備えた第２プリント基板とをコンパクトに配置することにより省スペース化を図った遊技機におけるランプ装置を提供すること。【解決手段】遊技機の制御を司る主制御基板と、その主制御基板からの指令に基づいて当該遊技機に設けられるランプ部の制御を行なうランプ制御基板を配設し、その主制御基板によって制御されるランプ部を備えた第１プリント基板１４と、そのランプ制御基板によって制御されるランプ部を備えた第２プリント基板２０とを夫々設けてなる遊技機において、第１プリント基板１４と第２プリント基板２０とをランプ本体２の背面側に並行状に配設し、前側に配置された第２プリント基板２０に、後側に配置された第１プリント基板１４に設けられるランプ部１１の光を通す透孔２１を設けた。【選択図】図２
2007282887.tif 000002
【特許請求の範囲】
【請求項１】
遊技機の制御を司る主制御基板と、その主制御基板からの指令に基づいて当該遊技機に設けられるランプ部の制御を行なうランプ制御基板を配設し、その主制御基板によって制御されるランプ部を備えた第１プリント基板と、そのランプ制御基板によって制御されるランプ部を備えた第２プリント基板とを夫々設けてなる遊技機において、
前記第１プリント基板と第２プリント基板とをランプ本体の背面側に並行状に配設し、それらのプリント基板のうち前側に配置されるプリント基板に、後側に配置されるプリント基板に設けられるランプ部の光を通す透孔を設けたことを特徴とする遊技機におけるランプ装置。
【請求項２】
前記後側のプリント基板に設けられるランプ部の光を通す導光部材を、前記前側のプリント基板の透孔に挿入するように設けたことを特徴とする請求項１に記載の遊技機におけるランプ装置。
【発明の詳細な説明】
【技術分野】
【０００１】
本発明は、パチンコ機等の遊技機におけるランプ装置に関するものである。
【背景技術】
【０００２】
パチンコ機等の遊技機においては、遊技機の制御を司る主制御基板と、その主制御基板からの指令に基づいて当該遊技機に設けられるランプ装置の制御を行なうランプ制御基板等が制御内容を分担させるために別個に配設されている。例えば、特開２００５−１３７６９号公報に記載された「遊技機」には、主制御基板に対してランプ制御基板、払出制御基板、発射制御基板、音制御基板等の副制御基板を接続した構成が示されている。
【０００３】
主制御基板によって制御される第１プリント基板に設けられるランプ装置は、遊技の結果に影響を及ぼす遊技状態表示や普通図柄の表示機能を担っている。また、ランプ制御基板によって制御される第２プリント基板に設けられるランプ装置としては、光による演出・意匠効果を発揮させるためのサイドランプや主役物の装飾ランプがある。
【０００４】
他方、一般的なパチンコ機では、遊技盤にほぼ円形で渦巻状に配置される外レールと内レールにより囲まれる遊技領域の中央部に、液晶表示部を備えた図柄表示装置を設け、その図柄表示装置の周辺に多数の誘導釘、風車・入賞口・サイドランプ類の盤面部品が設置されている。ところが、図柄表示装置や盤面部品の大型化、各種制御基板による電気制御の多様化・複雑化等の傾向に伴い、上記プリント基板を配置するための遊技盤裏面のスペースが広くとれないという不都合が生じてきた。
【特許文献１】特開２００５−１３７６９号公報
【発明の開示】
【発明が解決しようとする課題】
【０００５】
本発明の目的は、主制御基板によって制御されるランプ部を備えた第１プリント基板と、ランプ制御基板によって制御されるランプ部を備えた第２プリント基板とをコンパクトに配置することにより省スペース化を図った遊技機におけるランプ装置を提供することにある。
【課題を解決するための手段】
【０００６】
前記目的を達成するために請求項１に記載した発明は、遊技機の制御を司る主制御基板と、その主制御基板からの指令に基づいて当該遊技機に設けられるランプ部の制御を行なうランプ制御基板を配設し、その主制御基板によって制御されるランプ部を備えた第１プリント基板と、そのランプ制御基板によって制御されるランプ部を備えた第２プリント基板とを夫々設けてなる遊技機において、
前記第１プリント基板と第２プリント基板とをランプ本体の背面側に並行状に配設し、それらのプリント基板のうち前側に配置されるプリント基板に、後側に配置されるプリント基板に設けられるランプ部の光を通す透孔を設けたことを特徴とする。
【０００７】
同様の目的を達成するために請求項２に記載した発明は、請求項１に記載の遊技機におけるランプ装置において、前記後側のプリント基板に設けられるランプ部の光を通す導光部材を、前記前側のプリント基板の透孔に挿入するように設けたことを特徴とするものである。
【発明の効果】
【０００８】
（請求項１の発明）
この遊技機におけるランプ装置は、主制御基板によって制御されるランプ部を備えた第１プリント基板と、ランプ制御基板によって制御されるランプ部を備えた第２プリント基板を並行状にコンパクトに配置することにより、省スペース化を図ることができる。加えて、後側のプリント基板に設けられるランプ部の光も前方の遊技者側から視認し易い。
【０００９】
（請求項２の発明）
この遊技機におけるランプ装置は、後側のプリント基板に設けられるランプ部の光を導光部材を通すことによってより明瞭に視認することができる。
【発明を実施するための最良の形態】
【００１０】
以下に、本発明の最良の形態例を図面に基づいて説明する。図１は本発明にかかる第１実施形態のサイドランプの正面図、図２は図１のＡ−Ａ線断面図、図３は本発明にかかる第１実施形態のサイドランプが設置された遊技盤の正面図、図４は本発明にかかる第２実施形態のサイドランプの正面図、図５は図４のＢ−Ｂ線断面図である。
【００１１】
（実施形態例１）
本発明の「遊技機におけるランプ装置」を適用した第１実施形態のサイドランプ１を図１に示す。図３に示すように、このサイドランプ１は、遊技機としてのパチンコ機の遊技盤３１に環状に設置される内レール３３の内側左下方に配置されるものである。
【００１２】
因みに、パチンコ機においては、当該パチンコ機の制御を司る主制御基板に対してランプ制御基板、払出制御基板、発射制御基板、音制御基板等の副制御基板を接続し、主制御基板からの指令に基づいて各種制御を行なうように構成されている。
【００１３】
サイドランプ１の合成樹脂製ランプ本体２は、遊技盤に固定されるほぼ三日月形状の取付板３の背面に一定高さの周壁部４を一体に形成している。５は取付板３の所定位置に形成された複数個の取付穴である。その周壁部４の開放側には、合成樹脂製裏板９が図示しないビスにより取付けられている。１０はランプ本体２の前面２ａに適宜形成された亀甲模様等を表した透光性を有する装飾部である。
【００１４】
主制御基板（図示せず）によって制御される遊技状態の表示を目的とするランプ部１１を備えた第１プリント基板１４と、ランプ制御基板（図示せず）によって制御される装飾を目的とするランプ部１７を備えた第２プリント基板２０とは、後述するようにランプ本体２の背面側に並行状に配設されている。
【００１５】
ランプ部１１の２個の導光部材１２，１２は、透光性を有する所定長さの丸棒形状とされている。図２に示すように、それらの導光部材１２は、装飾部１０、ランプ本体２及び裏板９を水平方向で平行に貫通するように近接して配置され、各々の前端部１２ａは装飾部１０の前面に露出するように設けられている。第１プリント基板１４は、裏板９の後部に取付けられたカバー片１３の内方に設けられている。この第１プリント基板１４の電気回路に介装された２個の発光ダイオード１５ａ，１５ｂは、導光部材１２の後端部１２ｂに夫々対応するように配置されている。
【００１６】
上記発光ダイオード１５ａは確率変動遊技状態中に点灯作動し、発光ダイオード１５ｂは通常遊技状態中に点灯作動するように主制御基板により制御されるように設けられている。
【００１７】
ランプ部１７の第２プリント基板２０は、ランプ本体２の周壁部４と裏板９との間に介装されている。この第２プリント基板２０の電気回路に介装された２個の発光ダイオード２２，２２は装飾部１０の背面に対向するように設けられている。第２プリント基板２０に形成された透孔２１，２１には、上記ランプ部１１の導光部材１２，１２が挿通されている。
【００１８】
かかる構成になる本発明を適用した第１実施形態のサイドランプ１は、図３に示す遊技盤３１の内レール３３の内側左下方に配置される。図中、外レール３２と内レール３３とにより囲まれる遊技領域３１ａには、サイドランプ１と対称位置に他の形式のサイドランプ３４を設け、その他にパチンコ機における球落としゲーム及び図柄変動表示ゲームに必要な図柄変動表示装置３５、入賞口３６、始動入賞口３７、大入賞口３８や図示しない障害釘等が配設される。３９はアウト口である。
【００１９】
つぎに、かかる構成になる本発明を適用したサイドランプ１の作用について説明する。
ランプ部１１においては、一方の発光ダイオード１５ａが確率変動遊技状態中に点灯作動され、他方の発光ダイオード１５ｂが通常遊技状態中に点灯作動するように主制御基板により制御される。
【００２０】
また、ランプ部１７は、遊技進行との関連等において発光ダイオード２２，２２により装飾部１０が明るく照明される。
【００２１】
ついで、一般的なパチンコ機の遊技について簡単に説明する。
遊技者によって遊技領域３１ａに打ち込まれたパチンコ球が入賞口３６を通過することにより普通図柄表示部（図示せず）を作動させ、所定図柄で停止したときに、一定時間のみパチンコ球が入賞し易い開放状態とされた始動入賞口３７にパチンコ球が入賞することにより図柄表示装置３５の特別図柄表示部３５ａを作動させ、その特別図柄表示部３５ａが所定の図柄を表して停止すると「大当たり」と言われる特定遊技状態が発生して大入賞口３８を開放してパチンコ球を受け入れ若しくは一時的に受け入れない状態とし、所定のラウンド数（通常、最高１６回まで）の特定遊技を繰り返して行い、多量の景品球を放出するような基本的構造とされている。
【００２２】
（実施形態例２）
第２実施形態のサイドランプ５１は、上述した第１実施形態のサイドランプ１に準じた構成とされているが、ランプ部６１に７セグメント表示器６５を用いている。
【００２３】
図４に示すように、サイドランプ５１の合成樹脂製ランプ本体５２は、遊技盤に固定されるほぼ三日月形状の取付板５３の背面に一定高さの周壁部５４を一体に形成している。５５は取付板５３の所定位置に形成された複数個の取付穴である。その周壁部５４の開放側には、合成樹脂製裏板５６が図示しないビスにより取付けられている。６０はランプ本体５２の前面に適宜形成された亀甲模様等を表した透光性を有する装飾部である。
【００２４】
主制御基板（図示せず）によって制御される表示用ランプ部６１を備えた第１プリント基板６４と、ランプ制御基板（図示せず）によって制御される装飾用ランプ部６７を備えた第２プリント基板７０とは、後述するようにランプ本体５２の背面側に並行状に配設されている。
【００２５】
ランプ部６１の導光部材６２は、所定長さの円形筒形状とされている。図５に示すように、導光部材６２は、装飾部６０、ランプ本体５２及び裏板５６を水平方向に貫通するように配置され、その前端部６２ａは装飾部６０の前面に露出するように設けられている。６４は裏板５６の後部に取付けられたカバー片６３の内方に設けられた第１プリント基板である。この第１プリント基板６４の電気回路に介装された７セグメント表示器６５は、導光部材６２の中心部に臨むように配置されている。
【００２６】
上記７セグメント表示器６５は、上述した普通図柄表示部に相当する機能を有しており、所定図柄（例えば、「７」）で停止すれば「当り」となって始動入賞口３７を開放作動させ、「−」で停止すれば「ハズレ」で始動入賞口３７を開放作動しないように制御される。
【００２７】
ランプ部６７の第２プリント基板７０は、ランプ本体５２の周壁部５４と裏板５６との間に介装されている。この第２プリント基板７０の電気回路に介装された２個の発光ダイオード７２，７２は装飾部６０の背面に対向するように設けられている。第２プリント基板７０に形成された透孔７１には、上記導光部材６２が挿通されている。
【００２８】
かかる構成になる第２実施形態のサイドランプ５１は、上述した第１実施形態のサイドランプ１と同様に、遊技盤３１の内レール３３の内側左下方に配置される。
【００２９】
以上に述べた通り、このパチンコ機におけるランプ装置は、主制御基板によって制御されるランプ部を備えた第１プリント基板と、ランプ制御基板によって制御されるランプ部を備えた第２プリント基板を並行状にコンパクトに配置することにより、省スペース化を図ることができる。加えて、後側のプリント基板に設けられるランプ部の光も前方から視認し易いという利点がある。
【図面の簡単な説明】
【００３０】
【図１】本発明にかかる第１実施形態のサイドランプの正面図
【図２】図１のＡ−Ａ線断面図
【図３】本発明にかかる第１実施形態のサイドランプが設置された遊技盤の正面図
【図４】本発明にかかる第２実施形態のサイドランプの正面図
【図５】図４のＢ−Ｂ線断面図
【符号の説明】
【００３１】
１，５１・・・サイドランプ（ランプ装置）
２，５２・・・ランプ本体
１１，６１・・・ランプ部
１２，６２・・・導光部材
１４，６４・・・第１プリント基板
１７，６７・・・ランプ部
２０，７０・・・第２プリント基板
２１，７１・・・透孔
【図１】
2007282887.tif 000003
【図２】
2007282887.tif 000004
【図３】
2007282887.tif 000005
【図４】
2007282887.tif 000006
【図５】
2007282887.tif 000007